(57)【要約】      （修正有）【課題】環境に与える負荷性を低減するとともに構造が簡素で、しかも経済性に富む綴じ込み用ＣＤケースを提供する。【解決手段】ＣＤ装入用開口部２３側にＣＤケース１の表紙７と裏紙８の綴じ込みしろ３，４を設けるとともに、綴じ込みしろ４を綴じ込みしろ３より短く形成し、かつこの綴じ込みしろ４にＣＤ封止片５を設けることにより構成した。【選択図】図２
2006111279.tif 000002
【特許請求の範囲】
【請求項１】
雑誌中にＣＤを綴じ込む場合に使用する綴じ込み用ＣＤケースにおいて、ＣＤ装入用開口部側に、雑誌との綴じ込みしろを設けるとともに、前記雑誌との綴じ込みしろのうちの一方の綴じ込みしろを他方の綴じ込みしろより短くして、これをＣＤ封止片とすることにより構成したことを特徴とする綴じ込み用ＣＤケース。
【請求項２】
雑誌中にＣＤを綴じ込む場合に使用する綴じ込み用ＣＤケースにおいて、ＣＤ装入用開口部側に、雑誌との綴じ込みしろを設けるとともに、前記雑誌との綴じ込みしろのうちの一方の綴じ込みしろを他方の綴じ込みしろより短くして、これをＣＤ封止片とし、さらに前記ＣＤ封止片に、装入するＣＤの位置決め用の切片を設けることにより構成したことを特徴とする綴じ込み用ＣＤケース。
【請求項３】
雑誌中にＣＤを綴じ込む場合に使用する綴じ込み用ＣＤケースにおいて、ＣＤ装入用開口部側に、雑誌との綴じ込みしろを設けるとともに、前記雑誌との綴じ込みしろのうちの一方の綴じ込みしろを他方の綴じ込みしろより短くして、これをＣＤ封止片とし、さらに、前記ＣＤ封止片の開放縁に切り込み凹部を設けるとともに装入するＣＤの位置決め用の切片を設けることにより構成したことを特徴とする綴じ込み用ＣＤケース。
【請求項４】
前記綴じ込み用ＣＤケースの表紙側にＣＤ取り出し用ジッパーの切り込み線を刻設したことを特徴とする請求項１〜３記載の綴じ込み用ＣＤケース。
【請求項５】
前記ＣＤケースはＣＤ透視窓を設けるとともにこのＣＤ透視窓はグラシン紙を貼着し、かつＣＤケース全体を再生可能な紙材にて形成したことを特徴とする請求項１〜４記載記載の綴じ込み用ＣＤケース。
【発明の詳細な説明】
【技術分野】
【０００１】
本発明は、ＣＤを雑誌中に綴じ込む場合に使用する綴じ込み用ＣＤケースに関するものである。
【背景技術】
【０００２】
最近の雑誌中にはＣＤ−ＲＯＭが綴じ込まれるケースが増加しており、その綴じ込み用ＣＤケースとしては、ビニールあるいはポリプロピレン等の合成樹脂製のケースが使用されている。
【０００３】
又、この合成樹脂のケースに替えて図７，図８に示す通り、ケース３０を紙製材料にて袋状に形成するとともにこのケース３０内にＣＤ３１を装入し、ケース３０の裏面３２に両面テープ３３を貼着することにより、この両面テープ３２を介して雑誌の所要の綴じ込みページに貼着して綴じ込む構成のものが実施されている。
【０００４】
さらに、これに対して、雑誌の綴じ込み部に綴じ込む為の綴じしろを設けた図９〜１２に示す構成のＣＤケース３４，４０が使用されている。
【０００５】
図９，図１０のＣＤケース３４の場合には、製紙系（封筒状）ケースの形状のもので、ＣＤ３１を装入する開口部３６側に綴じ込みしろ３５を突設し、開口部３６より、ＣＤ３１を装入した後、開口部３６を封止用シール３７にて封止した後、開口部３６を封止用シール３７にて封止した状態にて綴じ込みしろ３５を雑誌の綴じ込み部に綴じ込むことにより使用する。
【０００６】
尚、図中３８，３９はケースのサイド片を示すものである。
又、この構成のＣＤケースは特許文献２に記載の構成のＣＤレーベル用窓付封筒が使用されている。
【０００７】
次に図１１，図１２のＣＤケース４０は製函系（段ボール紙の２カ所を貼着した箱状）ケースから成るものである。
ＣＤケース４０の開口部４６側に綴じ込みしろ４１を突設したもので、この開口部４６よりＣＤ３１を装入した後、開口部４６を封止用シール４７にて封止した状態にて綴じ込みしろ４１を雑誌の綴じ込み部に綴じ込むことにより使用する。
【０００８】
又、ＣＤケース４０の函型部分は段ボール台紙４２の折り込み部４３を折り返して、開口部４６を残して他の２カ所のサイド方部４４，４５をのり止めすることにより函型のＣＤケース部を形成したものである。
【特許文献１】特開２００００４−３５１１３号公報
【発明の開示】
【発明が解決しようとする課題】
【０００９】
前記した合成樹脂系のＣＤケースを綴じ込んだ場合には、雑誌を古紙として再生する場合に問題となり不適当である。
又、同様にして図７，８の場合にも両面テープ３３が古紙リサイクル協会の規定における禁忌品Ｂ類に当たり、使用は回避したいものになる。
【００１０】
しかも両面テープ３３の貼着自体の作業と工賃が必要となり、価格が高くなる欠点もある。
【００１１】
さらに、図９〜１２の製紙系と製函系のＣＤケース３４、４０の場合にもＣＤケース３１の装入用の開口部３６，４６を封止する封止用シール３７，４７の貼着の作業と工賃が要求されるのと同時に、この封止用シール３７，４７が古紙の再生上の欠点となるもので、環境に与える負荷性、材料費、作業と工賃からの経済性の点において、欠点を有するものである。
【００１２】
尚、図１１，１２の場合の製函系のものはＣＤ３１の装入部分となる箱状ケースを形成するのに２カ所のサイド片部４４，４５ののり止めに使用するのり自体にも環境上の問題点を有する。
【００１３】
因って、本発明は前記従来の綴じ込み用ＣＤケースにおける欠点に鑑みて開発されたもので、環境に与える負荷性を低減するとともに構造が簡素でしかも経済性に富む綴じ込み用ＣＤケースの提供を目的とするものである。
【課題を解決するための手段】
【００１４】
本発明の目的を達成するための請求項１は、雑誌中にＣＤを綴じ込む場合に使用する綴じ込み用ＣＤケースにおいて、ＣＤ装入用開口部側に、雑誌との綴じ込みしろを設けるとともに、前記雑誌との綴じ込みしろのうちの一方の綴じ込みしろを他方の綴じ込みしろより短くして、これをＣＤ封止片とすることにより構成したことを特徴とする綴じ込み用ＣＤケースである。
【００１５】
又、請求項２の発明は雑誌中にＣＤを綴じ込む場合に使用する綴じ込み用ＣＤケースにおいて、ＣＤ装入用開口部側に、雑誌との綴じ込みしろを設けるとともに、前記雑誌との綴じ込みしろのうちの一方の綴じ込みしろを他方の綴じ込みしろより短くして、これをＣＤ封止片とし、さらに前記ＣＤ封止片に、装入するＣＤの位置決め用の切片を設けることにより構成したことを特徴とする綴じ込み用ＣＤケースである。
【００１６】
そして、請求項３の発明は雑誌中にＣＤを綴じ込む場合に使用する綴じ込み用ＣＤケースにおいて、ＣＤ装入用開口部側に、雑誌との綴じ込みしろを設けるとともに、前記雑誌との綴じ込みしろのうちの一方の綴じ込みしろを他方の綴じ込みしろより短くして、これをＣＤ封止片とし、さらに、前記ＣＤ封止片の開放縁に切り込み凹部を設けるとともに装入するＣＤの位置決め用の切片を設けることにより構成したことを特徴とする綴じ込み用ＣＤケースである。
【００１７】
さらに請求項４の発明は前記綴じ込み用ＣＤケースの表紙側にＣＤ取り出し用ジッパーの切り込み線を刻設したことを特徴とする請求項１〜３記載の綴じ込み用ＣＤケースである。
【００１８】
そして請求項５の発明は前記ＣＤケースはＣＤ透視窓を設けるとともにこのＣＤ透視窓はグラシン紙を貼着し、かつＣＤケース全体を再生可能な紙材にて形成したことを特徴とする請求項１〜４記載記載の綴じ込み用ＣＤケースである。
【発明の効果】
【００１９】
本発明によれば、綴じ込み用ＣＤケースのＣＤ装入用開口部側に、雑誌との綴じ込みしろを設けるとともにこの綴じ込みしろのうちの一方の綴じ込みしろを他方の綴じ込みしろより短くして、これをＣＤ封止片とすることにより、環境に与える負荷性を低減するとともに構造が簡素で、しかも経済性に富む綴じ込み用ＣＤケースを提供することができる。
【発明を実施するための最良の形態】
【００２０】
以下、本発明の実施の形態を図面とともに説明する。
【実施例１】
【００２１】
図１〜４は本発明の実施の形態１を示すもので、図１は綴じ込み用ＣＤケースの展開図、図２は同ケースの裏面図、図３は表面図、図４は雑誌に対する綴じ込み状態を示す説明図である。
【００２２】
さて、本発明の綴じ込み用ＣＤケース１を制作する場合、図１に示す如く、図２、３の綴じ込み用ＣＤケース１（以下単にＣＤケース１という）を展開した状態にて、環境に悪影響を与えることにない紙素材（リサイクル可能である紙素材）、例えばクラフト紙等をプレスにより片抜きして制作する。
【００２３】
この型抜き体２は、この型抜きと同時に、ＣＤ３１を位置決めするためのＣＤケース封止片５の切り込み６を刻設することができる。
【００２４】
そして、図１において、７はＣＤケース１の表紙８は裏紙で、表紙７と裏紙８のＣＤケース１の開口部２３側にはそれぞれ綴じ込みしろ３，４ょを設けるとともに綴じ込みしろ３に対して綴じ込みしろ４は短く形成し（図２参照）、かつ開放縁９側の中央には切り込み凹部１０を設けるとともに前記表紙７の両サイドには裏紙８の貼付け片１１，１２を設けることにより形成されている。
【００２５】
そこで、この型抜き体２の折り返し線１３より裏紙８側を表紙７側に折り返して重ねた後、表紙７の両サイドの貼付片１１、１２を折り返し線１４，１５より折り返して、これを裏紙８に貼付けることによりＣＤケース１を制作することができる（図２，３参照）。
【００２６】
又、図３に示すように、表紙７には綴じ込み後のＣＤケース１よりこれに装入されているＣＤ３１を取り出す際のＣＤ取り出し用ジッパーとしての切り込み線１６を刻設してある。
【００２７】
さらに、表紙７には装入したＣＤ３１を透視する丸窓１７を開口するとともにこれにグラシンフィルム１８を貼着した構成を図示している。
【００２８】
したがって、前記切り込み線１６、丸窓１７の形成に当たっては、前記図１には図示していないが、この型抜き体２の型抜きと同時に形成することが可能である。
【００２９】
そして、丸窓１７に貼着するグラシンフィルム１８の貼着は、図２のＣＤケース１の形成作業に関連して作業することになる。使用する貼着のりはリサイクルに悪影響のないものを使用する。
【００３０】
以上の構成から成るＣＤケース１を使用する場合には、親指と人差し指で、ＣＤ３１を挟み持ち、綴じ込みしろ３，４間より装入しつつＣＤ３１をＣＤケース１内に装入する。
【００３１】
しかる後、親指をＣＤケース１内より抜き出し、親指にてＣＤ封止片５を内側に押し込みつつ、ＣＤケース１内の人差し指を使って、ＣＤ封止片５をＣＤケース１内に装入したＣＤ３１の周縁に沿って折り返すことにより、ＣＤ封止片５にてＣＤ３１を係止しつつ位置決めしてセットする。
【００３２】
これを雑誌の所要のページに綴じ込む場合には図４に示す如く、雑誌１９の綴じ込みページの綴じ込み部２０にＣＤケース１の綴じ込みしろ３，４を装入し、雑誌１９の綴じ込み部２０の綴じ込み作業と同時に綴じ込みしろ３，４を綴じ込むことにより、綴じ込みしろ３，４にてＣＤケース１内に装入したＣＤ３１を封止した状態にて雑誌１９にＣＤを綴じ込むことができる。
【００３３】
従って、ＣＤケース１内に装入したＣＤ３１を封止する為の封止用シール等の作業および貼着シールを必要とせずに綴じ込むことができ、作業性、経済性を簡素、低減するとともに環境に与える負荷性をも低減することができる。
【００３４】
さらに、綴じ込みしろ３，４間にＣＤを装入する際一方の綴じ込みしろ４を短く形成すこるとにより、ＣＤ３１の装入をする際の押し開き作業をスムースに行うことができ、ＣＤ３１の装入作業を容易にすることができる。
【００３５】
又、この際、切り込み凹部１０を介して、綴じ込みしろ３，４間の押し開き作業を助長すことができる。
【００３６】
そして、ＣＤ封止片５を折り込みＣＤ３１を係止しつつ固定することによって、ＣＤ３１をＣＤケース１内に位置決めすることができ、雑誌１９の綴じ込み部２０に綴じ込みしろ３，４を綴じ込む際にＣＤケース１内に装入したＣＤ３１がズレて綴じ込みしろ３，４に移動したりするのを防止することができる。
【実施例２】
【００３７】
図５、６は本発明の実施の形態２を示すもので、図５は展開図、図６はＣＤケースの裏面図である。
【００３８】
この実施の形態２のＣＤケース２１は、実施の形態１のＣＤケース１の構成中のＣＤ封止片５の形状を半月状のＣＤ封止片２２に変更して形成した場合を示すものである。
【００３９】
これにより、ＣＤケース２１内に装入されるＣＤ３１を幅広なＣＤ封止片２２にてより適確に係止できるようにしたものである。
【００４０】
その他の構成中、実施の形態１と同様の構成は同一番号を付してその説明を省略する。
【００４１】
又、ＣＤケース２１内にＣＤ３１を装入する方法、これをセットしたＣＤケース２１を雑誌の綴じ込み部に綴じ込んで使用する場合の方法も実施の形態１と同様に実施するものでその説明を省略する。
【００４２】
さらに、実施の形態１の図３に図示される切り込み線１６，丸窓１７、グラシンフィルム１８を備える実施をすることも可能である。
【図面の簡単な説明】
【００４３】
【図１】図１は実施の形態１の展開図
【図２】図２は実施の形態１のＣＤケースの裏面図
【図３】図３は実施の形態１のＣＤケースの表面図
【図４】図４は実施の形態１のＣＤケースの使用状態を示す説明図
【図５】図５は実施の形態２の展開図
【図６】図６は実施の形態２のＣＤケースの裏面図
【図７】図７は従来のＣＤケースの表面図
【図８】図８は従来のＣＤケースの裏面図
【図９】図９は従来のＣＤケースの表面図
【図１０】図１０は従来のＣＤケースの裏面図
【図１１】図１１は従来のＣＤケースの表面図
【図１２】図１２は従来のＣＤケースの裏面図
【符号の説明】
【００４４】
１          綴じ込み用ＣＤケース
２          型抜き体
３，４      綴じ込みしろ
５          ＣＤ封止片
６          切り込み
７          表紙
８          裏紙
９          開放縁
１０        切り込み凹部
１１，１２  貼付片
１３        折り返し線
１４，１５  折り返し線
１６        切り込み線
１７        丸窓
１８        グラシンフィルム
１９        雑誌
２０        綴じ込み部
２１        綴じ込み用ＣＤケース
２２        ＣＤ封止片
２３        開口部
【図１】
2006111279.tif 000003
【図２】
2006111279.tif 000004
【図３】
2006111279.tif 000005
【図４】
2006111279.tif 000006
【図５】
2006111279.tif 000007
【図６】
2006111279.tif 000008
【図７】
2006111279.tif 000009
【図８】
2006111279.tif 000010
【図９】
2006111279.tif 000011
【図１０】
2006111279.tif 000012
【図１１】
2006111279.tif 000013
【図１２】
2006111279.tif 000014